(57)【要約】      （修正有）【課題】植栽した植物の発育がよいうえに、建物の屋上の強度を特段高めなくても済む程度に軽量である屋上緑化用基盤を提供する。【解決手段】粒状のクリンカアッシュを骨材として、水とセメントとを混合して、内部に空隙２，・・・を有し、その空隙率が１０％〜３０％となるようにブロック状に形成し、骨材とされる粒状のクリンカアッシュの粒径は３ｍｍ〜２０ｍｍで、厚さＨが３０ｍｍ〜６０ｍｍで構成する。設置すると水平方向となる辺の長さＬ１、Ｌ２が１０ｃｍ〜４０ｃｍの直方体とされているとよい。【選択図】図１
2011155862.tif 000002
【特許請求の範囲】
【請求項１】
粒状のクリンカアッシュを骨材として、水とセメントとを混合して、内部に空隙を有し、その空隙率が１０％〜３０％となるようにブロック状に形成されていることを特徴とする屋上緑化用基盤。
【請求項２】
骨材とされる前記粒状のクリンカアッシュの粒径は、３ｍｍ〜２０ｍｍであることを特徴とする請求項１に記載の屋上緑化用基盤。
【請求項３】
厚さが、３０ｍｍ〜６０ｍｍとされていることを特徴とする請求項１又は２に記載の屋上緑化用基盤。
【請求項４】
設置すると水平方向となる辺の長さが１０ｃｍ〜４０ｃｍの直方体とされていることを特徴とする請求項１乃至３のいずれか１項に記載の屋上緑化用基盤。
【発明の詳細な説明】
【技術分野】
【０００１】
本発明は、建物の屋上緑化に用いられる屋上緑化用基盤に関するものである。
【背景技術】
【０００２】
近年、建物の屋上に芝などの植物を植栽する屋上緑化が広く実施されている。
【０００３】
この屋上緑化を実施すると、屋上において大きな断熱性能を有することとなり、冷暖房の設定を弱にしたり、冷暖房の電源をオフにしたりしても、建物の屋内空間は、快適な温度環境となり、省エネルギー効果が得られる。
【０００４】
ここで、この屋上緑化には、植物の根を根付かせるための屋上緑化用基盤が用いられている。
【０００５】
従来の屋上緑化用基盤としては、例えば、籾殻や木材チップ、ヤシガラ等を主素材として用いたり、火山灰（シラス）等を主素材としてブロック状に加工したものを用いたりしていた（特許文献１，２等を参照）。
【先行技術文献】
【特許文献】
【０００６】
【特許文献１】特開２００６−００２１４９号公報
【特許文献２】特開２００３−２４５０１２号公報
【発明の概要】
【発明が解決しようとする課題】
【０００７】
しかしながら、屋上緑化用基盤として、籾殻や木材チップ、ヤシガラ等を主素材として用いた場合、植栽した植物の発育はよいものの、基盤の重量が軽すぎるため、強風により吹き飛ばされるおそれがあるうえに、崩れ難いようにするため、設置作業に手間を要するという問題があった。
【０００８】
一方で、屋上緑化用基盤として、火山灰（シラス）等を主素材としてブロック状に加工したものを用いた場合、ブロック状に加工しているため、設置作業は簡易化されるものの、火山灰（シラス）の密度が高いことから、基盤の重量が比較的重いため、建物の屋上の強度を、それに合わせて高めなければならないおそれがあるという問題があった。
【０００９】
そこで、本発明は、植栽した植物の発育がよいうえに、建物の屋上の強度を特段高めなくても済む程度に軽量である屋上緑化用基盤を提供することを目的としている。
【課題を解決するための手段】
【００１０】
前記目的を達成するために、本発明の屋上緑化用基盤は、粒状のクリンカアッシュを骨材として、水とセメントとを混合して、内部に空隙を有し、その空隙率が１０％〜３０％となるようにブロック状に形成されていることを特徴とする。
【００１１】
ここで、骨材とされる前記粒状のクリンカアッシュの粒径は、３ｍｍ〜２０ｍｍであるとよい。
【００１２】
また、厚さが、３０ｍｍ〜６０ｍｍとされているとよい。
【００１３】
さらに、設置すると水平方向となる辺の長さが１０ｃｍ〜４０ｃｍの直方体とされているとよい。
【発明の効果】
【００１４】
このような本発明の屋上緑化用基盤は、粒状のクリンカアッシュを骨材として、水とセメントとを混合して、内部に空隙を有し、その空隙率が１０％〜３０％となるようにブロック状に形成された構成とされている。
【００１５】
こうした構成なので、粒状のクリンカアッシュ間の空隙の占める割合である空隙率１０％〜３０％という値であれば、植栽した植物の根の根付きが良く、根腐れしない程度の排水性も持たせることができる。
【００１６】
そして、これら粒状のクリンカアッシュは、微細な空隙を有する多孔質体であり、植栽した植物の根が吸水するにあたって必要な保水性に優れているため、労力を要する散水をさほど頻繁に行わなくても、植栽した植物の発育がよい。
【００１７】
また、その重量も、建物の屋上の強度を特段高めなくても済む程度に軽いため、手軽に適用することができる。
【００１８】
さらに、その熱伝導率が低く、表面に植物を植栽すると、さらに熱伝導率を低くでき、大きな断熱性能を有することとなり、冷暖房の設定を弱にしたり、冷暖房の電源をオフにしたりしても、建物の屋内空間は、快適な温度環境となり、従来の優れた屋上緑化用基盤と同程度の省エネルギー効果も得られる。
【００１９】
そのうえ、石炭火力発電所から排出される廃棄物であるクリンカアッシュを、有効利用することができる。
【００２０】
ここで、骨材とされる粒状のクリンカアッシュの粒径は、３ｍｍ〜２０ｍｍである場合は、空隙率１０％〜３０％の屋上緑化用基盤を簡易に形成することができる。
【００２１】
また、厚さが、３０ｍｍ〜６０ｍｍとされている場合は、植栽する所望の植物の根張りの長さに対応することができる。
【００２２】
さらに、設置すると水平方向となる辺の長さが１０ｃｍ〜４０ｃｍの直方体とされている場合は、大きさ、形状、及び重量などの点で、扱い易いので、運搬作業と設置作業とを容易に行うことができる。
【図面の簡単な説明】
【００２３】
【図１】実施例の屋上緑化用基盤の概略構成を示す斜視図である。
【図２】実施例の屋上緑化の方法において、屋上表面に屋上緑化用基盤を敷き詰めていく段階を示す説明図である。
【図３】実施例の屋上緑化の方法において、屋上緑化用基盤に芝（コウライシバ）マットのコウライシバが根付いて、屋上緑化がなされた段階を示す説明図である。
【図４】芝（コウライシバ）マットのコウライシバが屋上緑化用基盤に根付いたものを示す斜視図である。
【図５】図４におけるＡ−Ａ線矢視拡大断面図である。
【図６】実証試験における各条件での建物の屋上表面の温度変化を示すグラフである。
【図７】実証試験における試験状態の概略構成を示す説明図である。
【発明を実施するための形態】
【００２４】
以下、本発明を実施するための形態を、図面に示す実施例に基づいて説明する。
【実施例】
【００２５】
先ず、実施例の構成について説明する。
【００２６】
図１は、実施例の屋上緑化用基盤１の概略構成を示している。
【００２７】
この屋上緑化用基盤１は、粒状のクリンカアッシュを骨材として、水とセメントとを混合して、内部に空隙２，・・・を有し、その空隙率が１０％〜３０％となるようにブロック状に形成されたものである。
【００２８】
ここで、クリンカアッシュとは、石炭火力発電所のボイラー内で、燃焼によって生じた石炭灰の粒子同士が相互に凝結し、多孔質の塊となった廃棄物である。
【００２９】
本実施例では、このクリンカアッシュを、破砕し、粒径３ｍｍ〜２０ｍｍに粒度調整した粒状のクリンカアッシュを用いる。
【００３０】
また、水と、セメントと、骨材とされる粒状のクリンカアッシュとの単位体積当りの重量（ｋｇ／ｍ３）比（配合）を、およそ１：（２．５〜３．５）：（１０〜１２）として、これらを混合する。
【００３１】
そして、この混合物を、小型コンクリート平板即脱成型機により、直方体のブロック状に形成し、養生させると、屋上緑化用基盤１が出来上がる。
【００３２】
なお、この屋上緑化用基盤１の内部の空隙２，・・・は、植栽する植物の根が根付くうえに、根腐れしない程度の排水性も持たせるように、連通している。
【００３３】
ここでは、この屋上緑化用基盤１の厚さＨは、植栽する植物としての芝（コウライシバ）マットのコウライシバを根付かせるのに適当な４５ｍｍとして実施した。
【００３４】
但し、この厚さＨは、植栽する所望の植物が根付くように、３０ｍｍ〜６０ｍｍの範囲で適宜変更すればよい。
【００３５】
さらに、この屋上緑化用基盤１は、扱い易いように、設置すると水平方向となる辺の長さＬ１，Ｌ２が３０ｃｍの直方体とされている。
【００３６】
但し、これらの屋上緑化用基盤１における設置すると水平方向となる辺の長さＬ１，Ｌ２は、１０ｃｍ〜４０ｃｍの範囲であれば、大きさ、形状及び重量などの点で扱い易く、好ましい。
【００３７】
次に、屋上緑化用基盤１，・・・を用いた建物Ｂの屋上緑化の方法について説明する。
【００３８】
まず、図示省略の防根シートを、建物Ｂの屋上に敷設してから、屋上緑化用基盤１，・・・を、図２に示したように、その上に敷き詰める。
【００３９】
続いて、屋上緑化用基盤１，・・・のそれぞれの表面に、これら屋上緑化用基盤１，・・・の表面積と略同一のサイズの芝（コウライシバ）マット３，・・・を敷設していく。
【００４０】
そして、芝（コウライシバ）マット３，・・・の上から定期的に散水を行うと、図３に示したように、芝（コウライシバ）マット３，・・・が、屋上緑化用基盤１，・・・に根付いたもの１０，・・・となり、建物Ｂの屋上緑化がなされる。
【００４１】
ここで、芝（コウライシバ）マット３とは、図４及び図５に示したように、育成地で栽培したコウライシバ３０，・・・を所要の厚さの培土３１とその内部の根を残して所定サイズで市販されているものである。
【００４２】
また、芝（コウライシバ）マット３内部のコウライシバ３０，・・・の根は、図５に示したように、屋上緑化用基盤１の連通する空隙２，・・・を通って、スムーズに根張りされる。
【００４３】
次に、実施例の作用効果について説明する。
【００４４】
このような実施例の屋上緑化用基盤１は、粒状のクリンカアッシュを骨材として、水とセメントとを混合して、内部に空隙２，・・・を有し、その空隙率が１０％〜３０％となるようにブロック状に形成された構成とされている。
【００４５】
こうした構成なので、粒状のクリンカアッシュ間の空隙２，・・・が占める割合である空隙率１０％〜３０％という値であれば、植栽した植物としての芝（コウライシバ）マット３のコウライシバ３０，・・・の根の根付きが良く、根腐れしない程度の排水性も持たせることができる。
【００４６】
そして、これら粒状のクリンカアッシュは、微細な空隙を有する多孔質体であり、植栽した芝（コウライシバ）マット３のコウライシバ３０，・・・の根が吸水するにあたって必要な保水性に優れている（約０．３０５ｇ／ｃｍ３）ため、労力を要する散水をさほど頻繁に行わなくても、コウライシバ３０，・・・の発育がよい。
【００４７】
また、その重量も、建物Ｂの屋上の強度を特段高めなくても済む程度に軽い（乾燥状態の密度約０．９６ｇ／ｃｍ３）ため、手軽に適用することができる。
【００４８】
さらに、後述する実証試験の試験結果において説明するが、その熱伝導率が低く、表面に芝（コウライシバ）マット３を敷設し、コウライシバ３０，・・・を植栽すると、さらに熱伝導率を低くでき、大きな断熱性能を有することにより、冷暖房の設定を弱にしたり、冷暖房の電源をオフにしたりしても、建物Ｂの屋内空間は、快適な温度環境となり、従来の優れた屋上緑化用基盤と同程度の省エネルギー効果も得られる。
【００４９】
そのうえ、石炭火力発電所から排出される廃棄物であるクリンカアッシュを、有効利用することができる。
【００５０】
ここで、骨材とされる粒状のクリンカアッシュの粒径は、３ｍｍ〜２０ｍｍであるため、空隙率１０％〜３０％の屋上緑化用基盤１を簡易に形成することができる。
【００５１】
また、厚さＨが、４５ｍｍとされているため、芝（コウライシバ）マット３のコウライシバ３０，・・・の根張りの長さに対応することができる。
【００５２】
さらに、設置すると水平方向となる辺の長さＬ１，Ｌ２が３０ｃｍの直方体とされているため、大きさ、形状、及び重量などの点で、扱い易いので、運搬作業と設置作業とを容易に行うことができる。
【００５３】
次に、この実施例の屋上緑化用基盤１，・・・を用いた屋上緑化の実証試験を行ったところ、以下のような試験結果が得られた。
【００５４】
下記した条件（１）〜（３）における建物の屋上表面の温度変化を測定する試験を行ったところ、図６に示すグラフが得られた。
【００５５】
ここで、この実証試験には、香川県高松市にある６階建ての建物の屋上において実施した。
【００５６】
この建物の屋上は、日射を遮る障害物がない平坦なモルタル張りであり、排水設備が十分に完備されている。
【００５７】
また、下記した条件（１）〜（３）では、いずれも、０．９ｍ×０．９ｍの正方形である０．８１ｍ２の屋上表面を用い、各中心部に、図７に示したように、温度計センサーＳ１，Ｓ２，Ｓ３をそれぞれ設置して、屋上表面の温度変化を測定した。
【００５８】
また、条件（１）〜（３）の境界部及び外縁部には、相互間で極力影響を与えないように、断熱材としての木枠５と仕切り板６とを設けた。
【００５９】
さらに、条件（１）〜（３）では、上方にそれぞれ設けた散水ホース７から同様な散水（１ｍ２当りに換算すると約１．３リットル／分、毎日朝夕各２０分間程度）を行った。
【００６０】
そして、条件（１）〜（３）において、一年の間で、比較的気温の変化が激しい（統計的に日中の平均温度が高い）７月１２日から７月１４日までの三日間の建物における屋上表面の温度変化をそれぞれ測定した。
【００６１】
まず、条件（１）は、空隙率を約２０％とした９個の実施例の屋上緑化用基盤１，・・・を、防根シート４を介して、建物の屋上に敷き詰め、その表面に芝（コウライシバ）マット３，・・・を敷設した場合である。
【００６２】
また、条件（２）は、実施例の屋上緑化用基盤１，・・・と同一の大きさ、形状の火山灰（シラス）を用いて形成した９個の従来の屋上緑化用基盤１Ａ，・・・を、防根シート４を介して、建物の屋上に敷き詰め、その表面に芝（コウライシバ）マット３，・・・を敷設した場合である。
【００６３】
さらに、条件（３）は、建物の屋上に何も設けなかった場合である。
【００６４】
この図６のグラフから分かるように、条件（３）では、建物の屋上表面の温度が、およそ２４℃〜５５℃の間の大きな温度差（約２９℃）で変化するのに対し、条件（１）と条件（２）とでは、ともに、建物の屋上表面（屋上緑化用基盤の裏面）の温度が、およそ２５℃〜３２℃の小さな温度差（約７℃）でしか変化せず、大きな断熱性能を有することが確認できた。
【００６５】
特に、７月１３日の１４時の時点では、条件（３）における建物の屋上表面の温度は、５４．９℃まで達しているにもかかわらず、条件（１）における建物の屋上表面の温度は、３１．１℃であり、条件（２）における建物の屋上表面の温度も、３１．３℃である。
【００６６】
つまり、条件（１）と条件（２）では、ともに、条件（３）に比べて２３℃以上の温度差があり、大きな断熱性を有することが顕著に表れている。
【００６７】
すなわち、実施例の屋上緑化用基盤１，・・・は、軽量にもかかわらず、従来の優れた屋上緑化用基盤１Ａ，・・・と同程度の大きな断熱性能を有するものであることが実証できた。
【００６８】
また、条件（１）と条件（２）とで、芝（コウライシバ）マット３，・・・に同様な散水を行い、一年後の育成状況を観察したところ、両者のコウライシバ３０，・・・は、略同程度の良好な育成状態であった。
【００６９】
すなわち、実施例の屋上緑化用基盤１，・・・は、軽量にもかかわらず、従来の優れた屋上緑化用基盤１Ａ，・・・と同程度に、労力を要する散水をさほど頻繁に行わなくても、植栽した植物としての芝（コウライシバ）マット３，・・・のコウライシバ３０，・・・の発育がよいことが実証できた。
【００７０】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００７１】
例えば、上記実施例では、植栽する植物として芝（コウライシバ）マット３のコウライシバ３０，・・・を用いたが、これに限定されず、所望の植物を植栽して実施してもよい。
【００７２】
また、上記実施例では、屋上緑化用基盤１の形状を、直方体として実施したが、これに限定されず、屋上緑化用基盤１，・・・で覆いきれない部分では、その部分の形状に合わせたものなどを用いて実施してもよい。
【符号の説明】
【００７３】
１      屋上緑化用基盤
２      空隙
３      芝（コウライシバ）マット
３０    コウライシバ（植栽する植物）
３１    培土
１０    芝（コウライシバ）マットが屋上緑化用基盤に根付いたもの
Ｈ      屋上緑化用基盤の厚さ
Ｌ１，Ｌ２  屋上緑化用基盤における設置すると水平方向となる辺の長さ
Ｂ      建物
【図１】
2011155862.tif 000003
【図２】
2011155862.tif 000004
【図３】
2011155862.tif 000005
【図４】
2011155862.tif 000006
【図５】
2011155862.tif 000007
【図６】
2011155862.tif 000008
【図７】
2011155862.tif 000009